(57)【要約】【課題】酸素濃度を調整した空気を常に安定して供給する機能を有する給水装置を提供することを目的としている。【解決手段】酸素の透過性にすぐれた酸素富化膜モジュール３と、酸素富化膜モジュール３に接続する真空ポンプ４と、真空ポンプ４の制御回路５を有する酸素富化デバイス２を備え、酸素富化デバイス２によって酸素濃度を調整した空気を給水中に供給するようにしたものである。これにより、酸素富化デバイス２を駆動することで、常に安定して給水の溶存酸素を高めることができる。【選択図】  図１
2005007033.tif 000002
【特許請求の範囲】
【請求項１】
酸素富化膜モジュールと、この酸素富化膜モジュールに接続する真空ポンプと、この真空ポンプの制御回路とを有する酸素富化デバイスを備え、前記酸素富化デバイスによって酸素濃度を調整した空気を給水中に供給するようにした給水装置。
【請求項２】
真空ポンプの吸込口は、酸素富化膜モジュールの出口側に接続した請求項１に記載の給水装置。
【請求項３】
酸素富化デバイスの駆動を給水運転よりも先に行い、酸素濃度を調整した空気を給水中に供給するようにした請求項１または２に記載の給水装置。
【請求項４】
酸素富化デバイスによって酸素濃度を調整した空気を給水出口近傍に供給する請求項１〜３のいずれか１項に記載の給水装置。
【請求項５】
酸素富化デバイスによって酸素濃度を調整した空気の出口と給水出口とを同軸に配した請求項４に記載の給水装置。
【発明の詳細な説明】
【０００１】
【発明の属する技術分野】
本発明は、酸素富化デバイスを備えたジャーポット、湯沸かし器、あるいは冷水機等の給水装置に関するものである。
【０００２】
【従来の技術】
従来、給水装置と直接関係するものではないが、類似するものとして、ガス組成調整機構を備えた食品加工器具が知られている（例えば、特許文献１参照）。
【０００３】
【特許文献１】
特許第３０５４９７３号公報
【０００４】
【発明が解決しようとする課題】
しかしながら、前記従来の食品加工器具は、食品加工器具内に炭酸ガス、窒素ガス、または酸素貧化ガスを供給して、加工時における食品の呈味状態の維持やカッタの酸化防止をはかったものであって、酸素富化デバイスを備えた給水装置とは異なるものである。そこで、給水装置において、安定して給水の溶存酸素を高めたものの提供が望まれていた。
【０００５】
本発明は、前記従来の課題を解決するもので、常に安定して給水の溶存酸素を高める機能を有する給水装置を提供することを目的とするものである。
【０００６】
【課題を解決するための手段】
前記目的を達成するために、本発明の給水装置は、酸素富化デバイスによって酸素濃度を調整した空気を給水中に供給するようにしたものである。
【０００７】
これにより、酸素富化デバイスを駆動することで、常に安定して給水の溶存酸素を高めることができるものである。
【０００８】
【発明の実施の形態】
請求項１に記載の発明は、酸素富化膜モジュールと、この酸素富化膜モジュールに接続する真空ポンプと、この真空ポンプの制御回路とを有する酸素富化デバイスを備え、前記酸素富化デバイスによって酸素濃度を調整した空気を給水中に供給するようにした給水装置とすることにより、酸素富化デバイスを駆動することで、常に安定して給水の溶存酸素を高めることができるものである。
【０００９】
請求項２に記載の発明は、真空ポンプの吸込口は、酸素富化膜モジュールの出口側に接続した請求項１に記載の給水装置とすることにより、真空ポンプの吐出口からの空気圧力は十分であり、仮に温水、冷水等の抵抗体があっても安定して酸素濃度を調整した空気が供給できる。
【００１０】
請求項３に記載の発明は、酸素富化デバイスの駆動を給水運転よりも先に行い、酸素濃度を調整した空気を給水中に供給するようにした請求項１または２に記載の給水装置とすることにより、給水よりも先に酸素濃度が調整された雰囲気にすることができ、より安定して給水の溶存酸素を高めることができるものである。
【００１１】
請求項４に記載の発明は、酸素富化デバイスによって酸素濃度を調整した空気を給水出口近傍に供給する請求項１〜３のいずれか１項に記載の給水装置とすることにより、給水出口近傍で温水、冷水等と酸素濃度を調整した空気が混合し、効果的に給水の溶存酸素を高めることができるものである。
【００１２】
請求項５に記載の発明は、酸素富化デバイスによって酸素濃度を調整した空気の出口と給水出口とを同軸に配した請求項４に記載の給水装置とすることにより、給水出口近傍で温水、冷水等と酸素濃度を調整した空気が混合し、より一層効果的に給水の溶存酸素を高めることができるものである。
【００１３】
【実施例】
以下、本発明の実施例について、図面を参照して説明する。
【００１４】
図は湯沸かし器、あるいは冷水機等の給水装置の一例として、ジャーポットを示している。図において、１はジャーポットの本体、２は本体１の側部（あるいは他の適宜な箇所）に配した酸素富化デバイスで、酸素の透過性にすぐれた酸素富化膜モジュール３と、この酸素富化膜モジュール３に接続する真空ポンプ４と、この真空ポンプ４の制御回路５とを有する。
【００１５】
酸素富化膜モジュール３は、メッシュ構造の樹脂フレームに有機高分子膜を貼り付けた構成で、これを複数枚積層して構成している。枚数の増加によって、発生する酸素富化空気量が調整できる。また、真空ポンプ４は、その吸込口４ａを、酸素富化膜モジュール３の出口側３ａに接続している。酸素富化膜モジュール３を構成する有機高分子膜は、窒素に比べ酸素の透過性にすぐれているために、酸素富化膜モジュール３のフレーム３ｂ内を真空ポンプ４によって真空吸引すると酸素富化空気が得られる。
【００１６】
また、真空ポンプ４は、その吐出口４ｂに樹脂製の供給配管６を接続している。そして、供給配管６の出口６ａは、本体１の給水管７の給水出口近傍７ａに酸素富化デバイス２によって酸素濃度を調整した空気を供給するように臨ませている。したがって、給水管７からの給水は、給水出口近傍７ａで溶存酸素が高められ、本体１の注水口１ａから外部に注ぎ出されるものである。なお、給水運転は、図示していないが、給水管７に接続された給水ポンプの駆動により、本体１内の湯（または水）が汲み上げられることにより行われるものである。
【００１７】
制御回路５は、真空ポンプ５およびジャーポット自体の制御をするものであるが、酸素富化デバイス２の駆動、すなわち真空ポンプ２の運転開始を、給水運転よりも先に行うようなシーケンスが組み込まれている。
【００１８】
次に、酸素濃度を調整した空気を給水中に供給する動作、作用について説明する。
【００１９】
ジャーポットは、本体１に設けられた給水ボタンが押されると、制御回路５が先ず真空ポンプ４の運転を開始させる。これにより、酸素富化膜モジュール３のフレーム３ｂ内が真空になり、有機高分子膜を酸素が優先的に通り、真空ポンプ４から供給配管６へと酸素富化された空気が流れる。真空ポンプ４の吸引圧力が−６１ｋＰａならば、この空気の酸素濃度は約３０％程度になる。空気流量は２〜３Ｌ／ｍｉｎである。したがって、ジャーポットの給水管７近傍の空気は、１秒以内で約３０％の酸素濃度の空気に置換される。すなわち、給水よりも先に酸素濃度が調整された雰囲気にすることができる。その後、給水運転を開始し、水を汲み上げる。これにより、高濃度酸素の空気は、給水管７の給水出口近傍７ａで水と混合し、水内に溶け込むことによって、より安定して給水の溶存酸素を高めることができるものである。溶存酸素の高い水は、身体内に取り入れることにより、腸内の組織の活性化をはかることができ、健康へつながるものである。
【００２０】
なお、真空ポンプ４の吸込口４ａは、酸素富化膜モジュール３の出口側３ａに接続したため、真空ポンプ４の吐出口４ｂからの空気圧力は十分であり、仮に温水、冷水等の抵抗体があっても安定して酸素濃度を調整した空気が供給できる。
【００２１】
図２は、酸素富化デバイス２によって酸素濃度を調整した空気の出口と給水出口とを同軸（図では同心円状）に配した実施例を示している。この実施例では、供給配管６の周りに給水管７を配することにより、給水出口近傍７ａで温水、冷水等内に酸素濃度を調整した空気を混合させ、より一層効果的に給水の溶存酸素を高めている。なお、逆に、給水管７の周りに供給配管６を配することにより、給水の外側より酸素濃度を調整した空気を混合させることもできるものである。
【００２２】
【発明の効果】
以上のように、本発明の給水装置は、酸素富化デバイスによって酸素濃度を調整した空気を給水中に供給するようにしたものであり、酸素富化デバイスを駆動することで、常に安定して給水の溶存酸素を高めることができるものである。
【図面の簡単な説明】
【図１】本発明の実施例における給水装置の構成を示す断面図
【図２】本発明の他の実施例における給水出口付近の構成を示す断面図
【符号の説明】
１  本体
２  酸素富化デバイス
３  酸素富化膜モジュール
４  真空ポンプ
５  制御回路
６  供給配管
７  給水管
【図１】
2005007033.tif 000003
【図２】
2005007033.tif 000004